(57)【要約】【課題】絶縁ガス中で用い、ベローズの内外部の圧力差が大きくても、優れた機械的強度を有し、繰り返し疲労による機械的寿命が向上する真空バルブを得る。【解決手段】筒状の真空絶縁容器１と、真空絶縁容器１の両端開口部にそれぞれ封着された固定側封着金具２および可動側封着金具３と、固定側封着金具２に貫通固定された固定側通電軸４と、固定側通電軸４に固着された固定側接点５と、固定側接点５と接離する可動側接点６と、可動側接点６に固着されるとともに、可動側封着金具３を移動自在に貫通した複数本の可動側通電軸９、１０、１１と、可動側通電軸９、１０、１１のそれぞれと可動側封着金具３間に封着された複数のベローズ１２、１３、１４とを備え、可動側通電軸１２、１３、１４は、固定側通電軸４よりも細径であることを特徴とする。【選択図】図１
2010282837.tif 000002
【特許請求の範囲】
【請求項１】
筒状の真空絶縁容器と、
前記真空絶縁容器の両端開口部にそれぞれ封着された固定側封着金具および可動側封着金具と、
前記固定側封着金具に貫通固定された固定側通電軸と、
前記固定側通電軸に固着された固定側接点と、
前記固定側接点と接離する可動側接点と、
前記可動側接点に固着されるとともに、前記可動側封着金具を移動自在に貫通した複数本の可動側通電軸と、
前記複数本の可動側通電軸のそれぞれと前記可動側封着金具間に封着された複数のベローズとを備え、
前記複数本の可動側通電軸は、前記固定側通電軸よりも細径であることを特徴とする真空バルブ。
【請求項２】
前記複数のベローズを前記真空絶縁容器内に配置したことを特徴とする請求項１に記載の真空バルブ。
【請求項３】
前記真空絶縁容器の中心部に位置するベローズを前記真空絶縁容器内に配置し、これ以外のベローズを前記真空絶縁容器外に配置したことを特徴とする請求項１に記載の真空バルブ。
【請求項４】
前記複数のベローズの外径は、前記固定側通電軸の外径よりも小さいことを特徴とする請求項１乃至請求項３のいずれか１項に記載の真空バルブ。
【発明の詳細な説明】
【技術分野】
【０００１】
本発明は、接離自在の一対の接点を有する真空バルブに係り、特に、ベローズの機械的寿命を向上し得る真空バルブに関する。
【背景技術】
【０００２】
従来、タンク形真空遮断器には、タンク内に乾燥空気などの絶縁ガスを０．２〜０．５ＭＰａで加圧封入し、真空バルブの外部絶縁の補強が行われている（例えば、特許文献１参照。）。
【０００３】
しかしながら、真空バルブの内外部の圧力差が大きく、ベローズに加わる機械的強度が増し、繰り返し疲労に伴う機械的寿命が低下する問題がある。このため、ベローズ部分を、内部の真空と外部のタンク内圧力の中間圧力とし、ベローズに加わる圧力差を緩和するものが知られている（例えば、特許文献２参照。）。
【先行技術文献】
【特許文献】
【０００４】
【特許文献１】特開２００７−３０６７０１号公報  （第２ページ、図４）
【特許文献２】特開２００５−３０４２２４号公報  （第５ページ、図３）
【発明の概要】
【発明が解決しようとする課題】
【０００５】
上記の従来の真空バルブにおいては、次のような問題がある。ベローズは、ステンレスなどの薄い板状の金属を成形あるいは溶接して製造されているため、多頻度開閉に用いる場合、金属疲労でクラックが発生し、真空漏れが生じることがある。特に、外部絶縁を補強するため、加圧した絶縁ガス中で用いられるものでは、ベローズ内外部の圧力差が大きく、機械的寿命が低下する。
【０００６】
これを解決するために、中間圧力室を設けるものでは、絶縁ガスの圧力を二段階に変化させなくてはならず、タンク内の構造が複雑となる。更には、ベローズ部分では中間圧力となっているので、所定値に加圧された部分よりも絶縁特性が低下し、絶縁補強が不充分となる。
【０００７】
このため、所定の絶縁補強を得るために絶縁ガスを所定値に加圧してベローズ内外部の圧力差を大きくしても、優れた機械的強度を有し、繰り返し疲労による機械的寿命が向上するものが望まれていた。
【０００８】
本発明は上記問題を解決するためになされたもので、ベローズの内外部の圧力差が大きくても、優れた機械的強度を有し、繰り返し疲労による機械的寿命を向上し得る真空バルブを提供することを目的とする。
【課題を解決するための手段】
【０００９】
上記目的を達成するために、本発明の真空バルブは、筒状の真空絶縁容器と、前記真空絶縁容器の両端開口部にそれぞれ封着された固定側封着金具および可動側封着金具と、前記固定側封着金具に貫通固定された固定側通電軸と、前記固定側通電軸に固着された固定側接点と、前記固定側接点と接離する可動側接点と、前記可動側接点に固着されるとともに、前記可動側封着金具を移動自在に貫通した複数本の可動側通電軸と、前記複数本の可動側通電軸のそれぞれと前記可動側封着金具間に封着された複数のベローズとを備え、前記複数本の可動側通電軸は、前記固定側通電軸よりも細径であることを特徴とする。
【発明の効果】
【００１０】
本発明によれば、複数本の可動側通電軸を可動側封着金具に貫通させ、可動側通電軸と可動側封着金具間のそれぞれに細径のベローズを封着しているので、ベローズの機械的強度が増し、内外部の圧力差を大きくしても繰り返し疲労による機械的寿命を向上させることができる。
【図面の簡単な説明】
【００１１】
【図１】本発明の実施例１に係る真空バルブの構成を示す断面図。
【図２】本発明の実施例１に係る真空バルブを可動側通電軸側から見た図。
【図３】本発明の実施例２に係る真空バルブの構成を示す断面図。
【図４】本発明の実施例２に係る真空バルブを可動側通電軸側から見た図。
【発明を実施するための形態】
【００１２】
以下、図面を参照して本発明の実施例を説明する。
【実施例１】
【００１３】
先ず、本発明の実施例１に係る真空バルブを図１、図２を参照して説明する。図１は、本発明の実施例１に係る真空バルブの構成を示す断面図、図２は、本発明の実施例１に係る真空バルブを可動側通電軸側から見た図である。
【００１４】
図１、図２に示すように、アルミナ磁器などのセラミックスからなる筒状の真空絶縁容器１の両端開口部には、固定側封着金具２と可動側封着金具３が封着されている。固定側封着金具２の中央部には、固定側通電軸４が貫通固定され、真空絶縁容器１内の端部に固定側接点５が固着されている。
【００１５】
固定側接点５に対向して接離自在の可動側接点６が、主可動側通電軸７の一方端に固着され、他方端が円板状の可動側連結板８に固着されている。可動側連結板８には、一列配置された複数本の第１、第２、第３の可動側通電軸９、１０、１１が連結され、可動側封着金具３の開口孔３ａ、３ｂ、３ｃを移動自在にそれぞれ貫通している。第１、第２、第３の可動側通電軸９、１０、１１の中間部と開口孔３ａ、３ｂ、３ｃ間には、ステンレスなどの薄い板状の金属を蛇腹状に形成した伸縮自在の筒状の第１、第２、第３のベローズ１２、１３、１４がそれぞれ封着されている。いずれのベローズ１２、１３、１４も真空絶縁容器１内に配置されている。
【００１６】
これにより、真空絶縁容器１内の真空を保ちながら第１、第２、第３の可動側通電軸９、１０、１１を軸方向に移動させることができる。接点５、６間には、これらを包囲するような筒状のアークシールド１５が真空絶縁容器１内の中間部に固定されている。なお、真空絶縁容器１外の第１、第２、第３の可動側通電軸９、１０、１１端部には、図示しない連結部材が連結され、可動側の電路となるとともに、接点５、６を開閉操作する操作機構に連結される。
【００１７】
可動側の通電電流は、主可動側通電軸７から可動側連結板８を介して第１、第２、第３の可動側通電軸９、１０、１１に分流するので、第１、第２、第３の可動側通電軸９、１０、１１は主可動側通電軸７よりも細径にしている。これに伴い、第１、第２、第３のベローズ１２、１３、１４も細径である。即ち、従来のような単独の可動側通電軸（主可動側通電軸７に相当）に設けられるベローズよりも細径となる。
【００１８】
第１、第２、第３のベローズ１２、１３、１４を細径にすると、蛇腹状の山数が増えて曲率半径が小さくなり、バネ定数が上昇し、耐外圧力が上昇する。例えば、同種の金属材料で板厚を同様として外径を２００ｍｍから５０ｍｍの細径にすると、山数が約２０％増え、バネ定数が約１／６となり、耐外圧力が約４倍に上昇する。
【００１９】
これにより、第１、第２、第３のベローズ１２、１３、１４は、従来のような単独で用いるベローズよりも機械的強度が増すので、内外部での圧力差を大きくしても、これに耐え得るものとなる。このため、外部絶縁を補強するために所定値に加圧した絶縁ガス中に、第１、第２、第３のベローズ１２、１３、１４を用いても、優れた機械的寿命を得ることができる。
【００２０】
ここで、主可動側通電軸７と固定側通電軸４は、通電容量が同様のため、同様の外径となる。そして、第１、第２、第３の可動側通電軸９、１０、１１は固定側通電軸４よりも細径であり、それぞれのベローズ１２、１３、１４も従来の単独の可動側通電軸に設けられるものよりも細径となる。即ち、可動側通電軸９、１０、１１は、必然的に固定側通電軸４よりも細径となり、それぞれのベローズ１２、１３、１４も細径となる。これらのことから、ベローズ１２、１３、１４の外径は、主可動側通電軸７に相当する固定側通電軸４の外径よりも小さいものとなる。
【００２１】
上記実施例１の真空バルブによれば、複数本の第１、第２、第３の可動側通電軸９、１０、１１を可動側封着金具３に貫通させ、真空絶縁容器１内の可動側通電軸９、１０、１１の中間部と開口孔３ａ、３ｂ、３ｃ間のそれぞれに、単独の可動側通電軸に設けられるベローズよりも細径の第１、第２、第３のベローズ１２、１３、１４を封着しているので、それぞれのベローズ１２、１３、１４の機械的強度が増し、内外部の圧力差を大きくしても繰り返し疲労による機械的寿命を向上させることができる。また、圧力差を緩和する中間圧力室が不要となり、圧力室の構造が簡素となり、充分なる外部絶縁の補強をすることができる。
【００２２】
上記実施例１では、第１、第２、第３の可動側通電軸９、１０、１１を一列配置して説明したが、それぞれの可動側通電軸９、１０、１１を三角形状配置や円形状配置、また、四本以上では多角形状配置してもよい。
【００２３】
また、可動側通電軸９、１０、１１のうち、中央部に配置される第２の可動側通電軸１０を主可動側通電軸７と同軸上に配置すると、可動側連結板８の歪が抑えられ、操作力の伝達を向上させることができる。更には、第１、第２、第３の可動側通電軸９、１０、１１、および第１、第２、第３のベローズ１２、１３、１４を同等の形状とし、軸方向を平行にすると、更に操作力の伝達を向上させることができる。同等とは、製作誤差、組立誤差などを含むものとする。なお、可動側通電軸が二本の場合を除く。
【００２４】
また、可動側連結板８を円板状で説明したが、複数本の可動側通電軸９、１０、１１の配置に合わせて、板状、三角形状、多角形状などにすることができる。
【００２５】
また、主可動側通電軸７を省き、可動側接点６に可動側連結板８を、直接、固着してもよい。更には、複数本の可動側通電軸９、１０、１１を、直接、可動側接点６（接点に固着される電極を含む）に固着してもよい。
【実施例２】
【００２６】
次に、本発明の実施例２に係る真空バルブを図３、図４を参照して説明する。図３は、本発明の実施例２に係る真空バルブの構成を示す断面図、図４は、本発明の実施例２に係る真空バルブを可動側通電軸側から見た図である。なお、この実施例２が実施例１と異なる点は、ベローズの配置である。図３、図４において、実施例１と同様の構成部分においては、同一符号を付し、その詳細な説明を省略する。
【００２７】
図３、図４に示すように、主可動側通電軸７に連結される可動側連結板８を椀状とし、中央部の底部に第２の可動側通電軸１０を固着し、両端縁部に第１、第３の可動側通電軸９、１１を固着している。また、第２のベローズ１３を実施例１と同様に真空絶縁容器１内に設け、第１、第３のベローズ１２、１４を真空絶縁容器１外に設けている。即ち、複数のベローズ１２、１３、１４のうち、真空絶縁容器１の中心部に位置する第２のベローズ１３を真空絶縁容器１内に配置し、これ以外の第１、第３のベローズ１２、１４を真空絶縁容器１外に配置している。
【００２８】
これにより、真空絶縁容器１内の可動側部分の部品点数、特に、真空絶縁容器１やアークシールド１５に近接する部品が減り、電界分布を改善することができる。
【００２９】
上記実施例２の真空バルブによれば、実施例１による効果のほかに、真空絶縁容器１内の可動側部分の絶縁特性を向上させることができる。
【符号の説明】
【００３０】
１  真空絶縁容器
２  固定側封着金具
３  可動側封着金具
３ａ、３ｂ、３ｃ  開口孔
４  固定側通電軸
５  固定側接点
６  可動側接点
７  主可動側通電軸
８  可動側連結板
９  第１の可動側通電軸
１０  第２の可動側通電軸
１１  第３の可動側通電軸
１２  第１のベローズ
１３  第２のベローズ
１４  第３のベローズ
１５  アークシールド
【図１】
2010282837.tif 000003
【図２】
2010282837.tif 000004
【図３】
2010282837.tif 000005
【図４】
2010282837.tif 000006